(57)【要約】【課題】一画面に表示できる施設名等の文字列の数を減少させずに、しかも一行に表示すべき文字列の一部が途切れて表示されないという事態を回避して、一行に表示すべき文字列を画面の表示範囲に収めることを可能にした「リスト表示装置」を提供することである。【解決手段】一行毎に異なる情報を表す文字列を複数行にわたって表示部の一画面にリスト表示するリスト表示装置であって、前記一画面に表示される文字列リスト中の少なくとも２つの行の文字列に共通する共通文字列を取得する共通文字列取得手段（Ｓ１３）と、前記共通文字列を、当該共通文字列を他の文字列と同じ形態にて表示させた場合より短い長さにて表示させる表示制御手段（Ｓ１４）とを有する構成となる。【選択図】図２
2012094037.tif 000002
【特許請求の範囲】
【請求項１】
一行毎に異なる情報を表す文字列を複数行にわたって表示部の一画面にリスト表示するリスト表示装置であって、
前記一画面に表示される文字列リスト中の少なくとも２つの行の文字列に共通する共通文字列を取得する共通文字列取得手段と、
前記共通文字列を、当該共通文字列を他の文字列と同じ形態にて表示させた場合より短い長さにて表示させる表示制御手段とを有するリスト表示装置。
【請求項２】
複数の単語により構成される文字列を前記表示部の一画面にリスト表示するリスト表示装置であって、
前記共通文字列取得手段は、前記文字列リストに含まれる複数の文字列から少なくとも２つの行の文字列に共通する文字列を共通文字列として抽出する手段を有し、
前記表示制御手段は、前記共通文字列を他の文字列より小さいフォントにて表示させる請求項１記載のリスト表示装置。
【請求項３】
前記表示制御手段は、前記共通文字列を当該共通文字列の文字数よりも少ない数の記号または文字に代えて表示させる文字変換表示制御手段を有する請求項１記載のリスト表示装置。
【請求項４】
キーワードを含む文字列を検索した結果を前記表示部の一画面にリスト表示するリスト表示装置であって、
前記共通文字列取得手段は、前記キーワードを共通文字列として取得するキーワード取得手段を有し、
前記文字変換表示制御手段は、前記一画面に表示される文字列リスト中の各文字列におけるキーワードを所定の記号に代えて表示させる請求項３記載のリスト表示装置。
【請求項５】
前記表示部は、車載ナビゲーション装置、携帯電話機または携帯音楽プレーヤーの表示部である請求項１乃至４いずれかに記載のリスト表示装置。
【発明の詳細な説明】
【技術分野】
【０００１】
本発明は、車載ナビゲーション装置や携帯電話機等の表示部に、一行毎に異なる施設名等の情報を表す文字列を複数行にわたってリスト表示する装置に関する。
【背景技術】
【０００２】
従来、条件設定手段によって設定された施設検索条件を満たす施設名が施設検索手段により検索され、この検索された複数の施設名が描画手段により表示装置の画面に表示されたナビゲーション装置が提案されている（例えば、特許文献１参照）。このナビゲーション装置では、描画手段は、先頭の規定文字数部分が同じ名称である施設名が複数検索された際に、施設名の先頭の同じ名称部分を第１の領域に表示し、施設名の先頭の同じ名称部分を除いた残りの名称部分を第２の領域にリスト形式で表示するように構成される。
【０００３】
このように構成されたナビゲーション装置では、第１の領域に施設名の先頭の同じ名称部分を表示し、第２の領域に支店名などのように施設名の先頭の同じ名称部分を除いた残りの名称部分をリスト形式で表示するので、表示装置の画面上に先頭の規定文字数しか表示されず所望の施設を特定できないという事態が生じず、施設リストの中から所望の施設を素早く特定できるようになっている。
【先行技術文献】
【特許文献】
【０００４】
【特許文献１】特開２００５−５５２６１号公報
【発明の概要】
【発明が解決しようとする課題】
【０００５】
しかしながら、上記従来の特許文献１に示されたナビゲーション装置では、先頭の名称部分と残りの名称部分とを異なる領域に表示させるため、例えば先頭の名称部分と残りの名称部分とを異なる行に表示させるため、表示装置の一画面に表示できる施設名の数が減少してしまい、検索された施設名が多いと、表示装置の画面のスクロール回数が多くなって、目的の施設名を捜すのに比較的多くの時間を要する場合がある。
【０００６】
本発明は、このような事情に鑑みてなされたもので、一画面に表示できる施設名等の文字列の数を減少させずに、しかも一行に表示すべき文字列の一部が途切れて表示されないという事態を回避して、一行に表示すべき文字列を画面の表示範囲に収めることを可能にしたリスト表示装置を提供するものである。
【課題を解決するための手段】
【０００７】
本発明に係るリスト表示装置は、一行毎に異なる情報を表す文字列を複数行にわたって表示部の一画面にリスト表示するリスト表示装置であって、前記一画面に表示される文字列リスト中の少なくとも２つの行の文字列に共通する共通文字列を取得する共通文字列取得手段と、前記共通文字列を、当該共通文字列を他の文字列と同じ形態にて表示させた場合より短い長さにて表示させる表示制御手段とを有する構成となる。
【０００８】
このような構成により、一行に表示すべき文字列のうち共通文字列が、当該共通文字を他の文字列と同じ形態にて表示させた場合より短い長さにて表示されるので、一行に表示すべき文字列の全長も短くなる。
【０００９】
前記一行毎に異なる情報を表す文字列とは、例えば、車載ナビゲーション装置において、ＰＯＩ（ＰＯＩ：Point Of Interest）検索や目的地検索或いは住所検索等により得られた複数の施設名（ゴルフ場名称、レストラン名称、遊技施設名称等）や複数の住所等をいう。なお、ＰＯＩ検索とは、現在地点近傍のコンビニエンスストア等の施設検索や、設定されたルート沿いのガソリンスタンド等の施設検索等、所定の検索条件に従って施設を検索することをいう。
【００１０】
本発明に係るリスト表示装置において、複数の単語により構成される文字列を前記表示部の一画面にリスト表示し、前記共通文字列取得手段は、前記文字列リストに含まれる複数の文字列から少なくとも２つの行の文字列に共通する文字列を共通文字列として抽出する手段を有し、前記表示制御手段は、前記共通文字列を他の文字列より小さいフォントにて表示させることができる。
【００１１】
このような構成により、一行に表示すべき文字列の少なくとも２つの行の文字列に共通する文字列を共通文字列として抽出し、その共通文字列を他の文字列より小さいフォントで表示させることにより、共通文字列の長さが短くなるので、一行に表示すべき文字列の全長も短くなる。
【００１２】
また、本発明に係るリスト表示装置において、前記表示制御手段は、前記共通文字列を当該共通文字列の文字数よりも少ない数の記号または文字に代えて表示させる文字変換表示制御手段を有することができる。
【００１３】
このような構成より、一行に表示すべき文字列のうち共通文字列を当該共通文字列の文字数よりも少ない数の記号または文字に代えて表示させることにより、共通文字列であった部分の長さが短くなるので、一行に表示すべき文字列の全長も短くなる。
【００１４】
本発明に係るリスト表示装置において、キーワードを含む文字列を検索した結果を前記表示部の一画面にリスト表示し、前記共通文字列取得手段は、前記キーワードを共通文字列として取得するキーワード取得手段を有し、前記文字変換表示制御手段は、前記一画面に表示される文字列リスト中の各文字列におけるキーワードを所定の記号に代えて表示させることができる。
【００１５】
このような構成より、一行に表示すべき文字列のうちキーワードを所定の記号に代えて表示させることにより、キーワードであった部分の長さが短くなるので、一行に表示すべき文字列の全長も短くなる。
【００１６】
更に、本発明に係るリスト表示装置において、前記表示部が、車載ナビゲーション装置、携帯電話機または携帯音楽プレーヤーの表示部であることが好ましい。
【００１７】
このような構成により、車載ナビゲーション装置、携帯電話機または携帯音楽プレーヤーの表示部のように画面の幅（表示幅）が比較的小さくても、一行に表示すべき文字列を全て表示させることができる。
【発明の効果】
【００１８】
本発明に係るリスト表示装置によれば、共通文字列の長さが短くなるので、一行に表示すべき文字列の全長も短くなる。この結果、一行に表示すべき文字列の一部が途切れることなく、一行に表示すべき文字列を全て表示できるので、画面を横方向にスクロールしなくても、その文字列の有する情報を全て得ることができる。また、先頭の名称部分と残りの名称部分とを異なる行に表示させるため、表示装置の一画面に表示できる施設名の数が減少してしまい、検索された施設名が多いと、表示装置の画面のスクロール回数が多くなって、目的の施設名を捜すのに比較的多くの時間を要する従来のナビゲーション装置と比較して、本発明では、一画面に表示できる施設名等の文字列の数を減少させないので、検索された施設名の文字列が多くても、画面のスクロール回数が比較的少ないため、所望の施設名等の文字列を速やかに見つけることができる。
【図面の簡単な説明】
【００１９】
【図１】本発明の実施の一形態に係るリスト表示装置を含む車載ナビゲーション装置の構成を示すブロック図である。
【図２】図１に示した車載ナビゲーション装置のリスト表示装置において実行される文字列リストの共通文字列を小さいフォントで表示部に表示させるフローチャートである。
【図３】図１に示した車載ナビゲーション装置の検索エンジンにより目的地としてゴルフ場名称を検索し得られたリストの例を示す図である。
【図４】表示部の一画面分に表示される文字列のリストの例を示す図である。
【図５】長い文字列の一部が破線で示す表示部の画面からはみ出して途切れたイメージを示す図である。
【図６】表示部の一画面に共通文字列を小さいフォントで表示させたリスト表示の例を示す図である。
【図７】図１に示した車載ナビゲーション装置のリスト表示装置において実行される文字列リストの共通文字列を記号「＊」に代えて表示部に表示させるフローチャートである。
【図８】表示部の一画面に共通文字列を記号「＊」に代えて表示させたリスト表示の例を示す図である。
【発明を実施するための形態】
【００２０】
以下、本発明の実施の形態について図面を用いて説明する。
【００２１】
本発明の実施の一形態に係る車載ナビゲーション装置は、図１に示すように構成される。図１において、車載ナビゲーション装置１００は、コンピュータユニット（ＣＰＵを含む）にて構成される処理ユニット１１を有している。処理ユニット１１は、車載ナビゲーションに必要な位置情報を提供するためのＧＰＳユニット１７及びセンサ類１８（ジャイロセンサ、加速度センサ）、地図情報及び各種情報を記憶する記憶部１４（例えば、ハードディスクユニット）が接続されている。また、処理ユニット１１には、車室内に設けられ、ＬＣＤ等により構成される表示部１３、操作ボタンや表示部１３内に構成されるタッチパネル等の操作部１２、車室内に設けられたスピーカ１６に音声信号を供給する出力回路１５が接続されている。
【００２２】
処理ユニット１１は、ＧＰＳユニット１７及びセンサ類１８からの位置情報と、記憶部１４から読み出した地図情報に基づいて車両ナビゲーションに係る処理を実行する。この車載ナビゲーションに係る処理では、例えば、ＧＰＳユニット１７及びセンサ類１８により得られる車両の現在位置と目的地の位置とに基づいて車両の現在位置から目的地までのルート（経路）が検索及び設定され、表示部１３に車載ナビゲーションに係る地図とともに車両の現在位置及び設定ルートを表示させて、車両のルート案内に係るガイダンスの出力（表示または音声出力）等がなされる。
【００２３】
一方、処理ユニット１１は、一行毎に異なる情報を表す文字列を複数行にわたって表示部１３にリスト表示するように構成される。この実施の形態では、処理ユニット１１は、目的地検索により得られた複数のゴルフ場名称リストの中から４つのゴルフ場名称を一行毎に４行にわたって一画面にリスト表示するように構成される。上記ゴルフ場名称には単語数が多いか或いは各単語の文字数が多いため、通常の表示フォントでは表示部１３の画面幅に収まらないものが存在する。なお、得られた複数のゴルフ場名称リストのうち他のゴルフ場の名称リストを見たいときには、画面を縦方向にスクロールできるようになっている。また処理ユニット１１は、表示部１３の一画面に表示される文字列リスト中の少なくとも２つの行に文字列の一部が共通する共通文字列を抽出可能に構成される。この実施の形態では、処理ユニット１１は、表示部１３の一画面に表示される複数の単語のうち少なくとも２つの行に共通する共通単語「GOLF」、「COURSE」及び「GREEN」を抽出可能に構成される。更に処理ユニット１１は、上記共通文字列を他の文字列より小さいフォントで表示部１３に表示させるように構成される。この実施の形態では、処理ユニット１１は、共通単語「GOLF」、「COURSE」及び「GREEN」を他の単語より小さいフォントで表示部１３に表示させるように構成される。
【００２４】
このように構成された車載ナビゲーション装置１００のリスト表示装置による表示方法を図２のフローチャートに基づいて説明する。乗員は車両に乗ってゴルフ場に行くため、車載ナビゲーション１００を用いてゴルフ場までのルート検索を行おうとしたところ、そのゴルフ場の正式名称を忘れてしまい、「GREEN」と「GOLF」しか覚えていないため、その覚えている２つの単語「GREEN」及び「GOLF」をキーワードとして操作部１２から入力する。すると、図示しない検索エンジンが上記キーワードを含むゴルフ場名称を検索して集める。
【００２５】
処理ユニット１１は、検索エンジンの検索した結果を取得する、即ち単語「GREEN」及び「GOLF」を含む複数のゴルフ場名称を取得する（Ｓ１１）。この処理により、図３に示すようなゴルフ場名称のリストが得られる。次に処理ユニット１１は、上記取得した複数のゴルフ場名称リストのうち表示部１３の一画面に表示される４つのゴルフ場名称リストを作成する（Ｓ１２）。この処理により、図４に示すような表示部の一画面分に表示される文字列のリストが得られる。この４つのゴルフ場名称のうち「GREEN HAWORTH GOLF COURSE」及び「GOLF BLUE GREEN DE GUERVILLE」は単語数が多いため、一行の文字列が長すぎて表示部１３の破線で示す画面幅に収まらない（図５）。
【００２６】
そこで処理ユニット１１は、一画面に表示される４つのゴルフ場名称のうち少なくとも２つの行に共通する共通文字列（共通単語）「GOLF」、「COURSE」及び「GREEN」を抽出し、これらの共通文字列（共通単語）を他の文字列（単語）より小さいフォントで表示部１３に表示させる（Ｓ１４）。この処理により、図６に示すように、共通文字列が小さいフォントで表示されるので、共通文字列の長さが短くなり、一行に表示すべきゴルフ場名称の全長も短くなる。この結果、一行に表示すべきゴルフ場名称の一部が途切れることなく、一行に表示すべきゴルフ場名称を全て表示できるので、画面を横方向にスクロールしなくても、所望のゴルフ場か否かを速やかに判断することができる。また小さいフォントで表示された共通文字列（共通単語）は一般名称に近い単語であるため、小さく表示されても所望のゴルフ場を見つける際に支障をきたすことはない。なお、図６において「GREENMOUNT」中の「GREEN」が小さいフォントで表示されていないのは、「GREEN」が単語ではなく「GREENMOUNT」の一部の文字列だからである。
【００２７】
処理ユニット１１は、乗員による画面の縦方向へのスクロールがなされたか否か（Ｓ１５）と検索処理（所望のゴルフ場名称の選択）が終了したか否か（Ｓ１６）を監視している。その過程で、乗員により画面が縦方向にスクロールされたら（Ｓ１６でＹＥＳ）、上記Ｓ１２〜Ｓ１４の処理を繰り返して、次の４つのゴルフ場名称リストを表示部１３に表示させる。またその過程で、所望のゴルフ場名称が選択されて検索処理の終了操作がされたら（Ｓ１６でＹＥＳ）、一連の処理を終了する。
【００２８】
このように構成された車載ナビゲーション装置１００のリスト表示装置による別の表示方法を図７のフローチャートに基づいて説明する。乗員は車両に乗ってゴルフ場に行くため、車載ナビゲーション１００を用いてゴルフ場までのルート検索を行おうとしたところ、そのゴルフ場の名称を忘れてしまい、「GREEN」のみ覚えていた場合、文字列「GREEN」をキーワードとして操作部１２から入力する。すると、図示しない検索エンジンが上記キーワードを含むゴルフ場名称を検索して集める。
【００２９】
処理ユニット１１は、検索エンジンの検索した結果を取得する、即ち単語「GREEN」を含む複数のゴルフ場名称を取得する（Ｓ２１）。この処理により、図３に示すようなゴルフ場名称のリストが得られる。次に処理ユニット１１は、上記取得した複数のゴルフ場名称リストのうち表示部１３の一画面に表示される４つのゴルフ場名称リストを作成する（Ｓ２２）。この処理により、図４に示すような表示部の一画面分に表示される文字列のリストが得られる。この４つのゴルフ場名称のうち「GREEN HAWORTH GOLF COURSE」及び「GOLF BLUE GREEN DE GUERVILLE」は単語数が多いため、一行の文字列が長すぎて表示部１３の破線で示す画面幅に収まらない（図５）。
【００３０】
そこで処理ユニット１１は、一画面に表示される４つのゴルフ場名称の全行に共通する共通文字列（キーワード）「GREEN」を別の１字からなる記号「＊」に代えて表示部１３に表示させる（Ｓ２３）。この処理により、図８に示すように、共通文字列（キーワード）が記号「＊」で表示されるので、共通文字列（キーワード）であった部分の長さが短くなり、一行に表示すべきゴルフ場名称の全長も短くなる。この結果、一行に表示すべきゴルフ場名称の一部が途切れることなく、一行に表示すべきゴルフ場名称を全て表示できるので、画面を横方向にスクロールしなくても、所望のゴルフ場か否かを速やかに判断することができる。また記号「＊」で表示された文字列「GREEN」は乗員が自分で入力した文字列であるため、記号「＊」で表示されても所望のゴルフ場を見つける際に支障をきたすことはない。なお、図８において「GREENMOUNT」中の「GREEN」を記号「＊」で表示したのは、「GREEN」を共通単語としてではなく共通文字列として扱っているからである。
【００３１】
処理ユニット１１は、乗員による画面の縦方向へのスクロールがなされたか否か（Ｓ２４）と検索処理（所望のゴルフ場名称の選択）が終了したか否か（Ｓ２５）を監視している。その過程で、乗員により画面が縦方向にスクロールされたら（Ｓ２４でＹＥＳ）、上記Ｓ２２〜Ｓ２３の処理を繰り返して、次の４つのゴルフ場名称リストを表示部１３に表示させる。またその過程で、所望のゴルフ場名称が選択されて検索処理の終了操作がされたら（Ｓ２５でＹＥＳ）、一連の処理を終了する。
【産業上の利用可能性】
【００３２】
以上、説明したように、本発明に係るリスト表示装置は、一画面に表示できる施設名等の文字列の数を減少させることなく、しかも一行に表示すべき文字列の一部が途切れて表示されないという事態を回避して、一行に表示すべき文字列を画面の表示範囲に収めることができるという効果を有し、車載ナビゲーション装置や携帯電話機等の表示部に、一行毎に異なる施設名等の情報を表す装置として有用である。
【符号の説明】
【００３３】
１００  車載ナビゲーション装置
１１  処理ユニット
１２  操作部
１３  表示部
１４  記憶部
１５  出力回路
１６  スピーカ
１７  ＧＰＳユニット
１８  センサ類 
【図１】
2012094037.tif 000003
【図２】
2012094037.tif 000004
【図３】
2012094037.tif 000005
【図４】
2012094037.tif 000006
【図５】
2012094037.tif 000007
【図６】
2012094037.tif 000008
【図７】
2012094037.tif 000009
【図８】
2012094037.tif 000010